(57)【要約】      （修正有）【課題】ケーシングが角筒状で、フードが平面視角形状をなす排気用の屋上換気扇において、ファンから送り出される気流を、風速の速い気流と風速の遅い気流に分流させて吐出口に導き、モータの負荷を低減する。【解決手段】排気用の屋上換気扇１は、半円筒状で、長さ方向の両端部を夫々４５度の角度に切断して平面視台形状になした分流体構成片７Ａを、四枚一組として組み合わせて平面視角形状の分流体７を形成し、分流体を、その開口側を下にして、ケーシング２とフード５との間に、その内側の端７′がケーシングの内側面２ａより内側に位置し、その外側の端７″がケーシングの外側面２ｂより外側に位置するように配設する。【選択図】図２
0003216617.tif 000002
【実用新案登録請求の範囲】
【請求項１】
上部側と下部側に夫々開口を有する角筒状のケーシングと、前記ケーシングに内装されたファンと、前記ファンを回転させるモータと、前記ケーシングの上部に所定の間隔で保持した、前記ケーシングにおける上部側の開口を覆い、その内側面と前記ケーシングの外側面との間に空気流通口を形成する平面視角形状のフードとからなる屋上換気扇において、
半円筒状で、長さ方向の両端部を夫々４５度の角度に切断して平面視台形状になした分流体構成片を、四枚一組として組み合わせて平面視角形状の分流体を形成し、該分流体を、その開口側を下にして、前記ケーシングと前記フードとの間に、その内側の端がケーシングの内側面より内側に位置し、その外側の端がケーシングの外側面より外側に位置するように配設してなることを特徴とする屋上換気扇。
【考案の詳細な説明】
【技術分野】
【０００１】
本考案は、工場等の建物の屋根に設置し、建物内の換気を行うための屋上換気扇に関するものである。
【背景技術】
【０００２】
工場等の建物の屋根には、建物内の換気を行うために屋上換気扇が設置されている。そして、斯かる屋上換気扇には排気を行うものと吸気を行うものとの二種類の屋上換気扇がある。そして、その内の排気を行う屋上換気扇は、一般的に、上部側と下部側に夫々開口を有する筒状のケーシングと、前記ケーシングに内装されたファンと、前記ファンを回転させるモータと、前記ケーシングの上部に所定の間隔で保持した前記ケーシングにおける上部側の開口を覆い、その内側面と前記ケーシングの外側面との間に吐出口を形成するフードとをもって構成されている。
【０００３】
風は面に沿って流れる性質があり、斯かる排気を行う屋上換気扇においては、ファンによって送り出された風はケーシングの内側面に沿って上昇し、フードに到達した風は該フードの内面に沿って流れる。この場合、吐出口の位置により風速に大きな偏りがある。また、フード内では圧力差による乱流が発生しており、モータへの負荷が過大となると共に屋上換気扇の能力が低下する原因となっている。
【０００４】
そこで、従来においてもケーシングとフードとの間に、その内側の端がケーシングの内側面より内側に位置し、その外側の端がケーシングの外側面より外側に位置するように半円筒状の分流体を設け、もってファンにより送り出された風をケーシング側とフード側に分流させることにより低い負荷での運転、ひいては省電力、低騒音化を図るようになされている。
【０００５】
ところで、斯かる排気用の屋上換気扇には、ケーシングが円筒状で、フードがこれに対応して平面視丸形状をなすものと、ケーシングが角筒状で、フードがこれに対応して平面視角形状をなすものとの二種類がある。
【０００６】
そして、従来において、前者のケーシングが円筒状で、フードがこれに対応して平面視丸形状をなす屋上換気扇については、ケーシングとフードとの間に、半円筒状の板材を平面視丸形状に形成した分流体が設けられていた。
【０００７】
しかし、後者のケーシングが角筒状で、フードがこれに対応して平面視角形状をなす屋上換気扇については、前記分流体に相当する部材は設けられていなかった。このため、該屋上換気扇については、上記の問題点が全く解消されていなかった。
【０００８】
また、該ケーシングが角筒状で、フードがこれに対応して平面視角形状をなす屋上換気扇について、前記半円筒状の板材を平面視丸形状に形成した分流体を無理に設置しようとすると、図７に示す如くフード内の四隅の部分（円で囲んだ部分）において充分な分流効果を得ることができず、意図した効果を充分に得ることができない。尚、図７には、ケーシングが角筒状で、フードがこれに対応して平面視角形状をなす屋上換気扇を示し、図において１００は屋上換気扇、１０１は角筒状のケーシング、１０２は平面視角形状をなすフード、１０３は半円筒状の板材を平面視丸形状に形成した分流体である。
【考案の概要】
【考案が解決しようとする課題】
【０００９】
そこで、本考案者らは、ケーシングが角筒状で、フードがこれに対応して平面視角形状をなす排気用の屋上換気扇において、これに最適に実施することができる分流体について鋭意研究した。
【００１０】
その結果、該分流体は、ケーシングとフードに合わせた平面視角形状であることが必要であることを知見した。そして、この場合には、図４に示す如く、フード内の四隅の部分（円で囲んだ部分）においても充分な分流効果を得ることができ、意図した効果を充分に得ることができるものである。
【００１１】
しかし、分流体として、ケーシングとフードに合わせた平面視角形状とする場合には、これを形成する手段の点において問題があることが分かった。それは、前記従来の平面視丸形状の分流体の場合には、全体が丸形に同一曲線で連続する形状であるから、一工程でもって全体を一体的に形成することができるが、これに対して平面視角形状の場合には、直線状の四辺が直角に連接しているものであることから、そのように一工程で全体を一体的に形成することができないからである。
【００１２】
そこで、本考案者らは斯かる点について更に研究した結果、半円筒状で、長さ方向の両端部を夫々４５度の角度に切断して平面視台形状となした分流体構成片を、四枚一組として組み合わせて平面視角形状の分流体を形成することにより、上記意図する分流体を形成することができることを知見し、本考案の完成をみるに至ったものである。
【００１３】
そして、本考案は、上記の如くケーシングが角筒状で、フードがこれに対応して平面視角形状をなす排気用の屋上換気扇において、上記の如き分流体を設けることにより、上記従来の問題点を解消することができるようになすことができるものである。
【００１４】
また、上記の如く、ケーシングが角筒状で、フードがこれに対応して平面視角形状をなす排気用の屋上換気扇において、上記の如き半円筒状で、長さ方向の両端部を夫々４５度の角度に切断して平面視台形状となした分流体構成片を、四枚一組として組み合わせて平面視角形状の分流体を形成し、該分流体を、その開口側を下にして、ケーシングとフードとの間に、その内側の端がケーシングの内側面より内側に位置し、その外側の端がケーシングの外側面より外側に位置するように配設した場合には、上来従来の問題点を解消することができることを知見することができた。
【００１５】
また、上記排気用とは異なるもう一種類の給気用の屋上換気扇は、その構成は排気用と同一で空気の流れが逆となるものである。
その構成は、図８に示す通りであり、図において１００′は給気用の屋上換気扇である。また、１０１は上部側と下部側に夫々開口部１０１Ａ、１０１Ｂを有する角筒状のケーシング、１０２は前記ケーシング１０１に内装されたファン、１０３は前記ファン３を回転させるモータである。１０４は前記ケーシング１０１の上部に所定の間隔で保持した、前記ケーシング１０１における上部側の開口部１０１Ｂを覆い、その内側面１０４ａと前記ケーシング１０１の外側面１０１ｂとの間に吸入口１０５を形成する平面視角形状のフードである。
【００１６】
また、１０６は半円筒状で、長さ方向の両端部を夫々４５度の角度に切断して平面視台形状になした分流体構成片１０６Ａを、四枚一組として組み合わせて平面視角形状に形成した分流体である。そして、該分流体１０６は、その開口側を下にして、前記ケーシング１０１と前記フード１０４との間に、その内側の端１０６′がケーシング１０１の内側面１０１ａより内側に位置し、その外側の端１０６″がケーシング１０１の外側面１０１ｂより外側に位置するように配設している。尚、１０７は前記分流体構成片１０６Ａの支持部材である。
【００１７】
而して、斯かる給気用の屋上換気扇１００′においては、吸入口１０５から吸い込まれた空気は、分流体１０６をもって内外に分流されることにより全体的にスムーズにケーシング１０１内に引き込まれることになる。もってモータ１０３の負荷が大幅に軽減されることになるものである。
【００１８】
このように、同一の構成により給気用の屋上換気扇においても同様の効果を得ることができる。
【００１９】
而して、本考案は、排気用と給気用のいずれとして構成しても上記の効果を得ることができる屋上換気扇を提供しようとするものである。
【課題を解決するための手段】
【００２０】
而して、本考案の要旨とするところは、上部側と下部側に夫々開口を有する角筒状のケーシングと、前記ケーシングに内装されたファンと、前記ファンを回転させるモータと、前記ケーシングの上部に所定の間隔で保持した、前記ケーシングにおける上部側の開口を覆い、その内側面と前記ケーシングの外側面との間に空気流通口を形成する平面視角形状のフードとからなる屋上換気扇において、半円筒状で、長さ方向の両端部を夫々４５度の角度に切断して平面視台形状になした分流体構成片を、四枚一組として組み合わせて平面視角形状の分流体を形成し、該分流体を、その開口側を下にして、前記ケーシングと前記フードとの間に、その内側の端がケーシングの内側面より内側に位置し、その外側の端がケーシングの外側面より外側に位置するように配設してなることを特徴とする屋上換気扇にある。尚、前記空気流通口は、排気用の屋上換気扇である場合には吐出口に、また給気用の屋上換気扇である場合には吸入口となるものである。
【考案の効果】
【００２１】
本考案は上記の如き構成であり、ケーシングが角筒状で、フードがこれに対応して平面視角形状をなす排気用の屋上換気扇において、半円筒状で、長さ方向の両端部を夫々４５度の角度に切断して平面視台形状となした分流体構成片を、四枚一組として組み合わせて平面視角形状の分流体を形成し、該分流体を、その開口側を下にして、前記ケーシングを前記フードとの間に、その内側の端がケーシングの内側面より内側に位置し、その外側の端がケーシングの外側面より外側に位置するように配設してなるものであるから、上記分流体を設けていない場合の問題点を解消することができるものである。
【００２２】
また、上記と同一の構成で空気の流れのみを逆とした給気用の屋上換気扇（図示せず。）の場合には、前記図８に示したものと同様に、吸入口から吸い込まれた空気を全体的にスムーズにケーシング内に引き込むことができ、もってモータの負荷を大幅に軽減することができるものである。
【図面の簡単な説明】
【００２３】
【図１】本考案の実施形態に係る排気用の屋上換気扇の斜視図である。
【図２】同一部切欠して示した正面図である。
【図３】同左側面図である。
【図４】同一部切欠して示した平面図である。
【図５】同分流体構成片の平面図である。
【図６】同分流体構成片の斜視図である。
【図７】ケーシングが角筒状でフードが平面視角形状の排気用の屋上換気扇において平面視丸形状の分流体を設けた場合の問題点を説明する、一部切欠平面図である。
【図８】ケーシングが角筒状でフードが平面視角形状の給気用の屋上換気扇において平面視角形状の分流体を用いた場合の利点を説明する、一部切欠して示した正面図である。
【考案を実施するための形態】
【００２４】
以下、本考案を実施するための形態について、図面を参照して説明する。
【００２５】
図中、１は排気用の屋上換気扇である。また、該排気用の屋上換気扇１は、図示しない工場等の屋根に設置し、建物内の換気を行うものである。
【００２６】
また、該排気用の屋上換気扇１は、上部側と下部側に夫々開口２Ａ、２Ｂを有する角筒状のケーシング２と、前記ケーシング２に内装されたファン３と、前記ファン３を回転させるモータ４と、前記ケーシング２の上部に所定の間隔で保持した、前記ケーシング２における上部側の開口２Ｂを覆い、その内側面５ａと前記ケーシング２の外側面２ｂとの間に吐出口６を形成する平面視角形状のフード５とからなるものである。
【００２７】
そして、本実施形態に係る上記排気用の屋上換気扇１は、更に、半円筒状で、長さ方向の両端部を夫々４５度の角度に切断して平面視台形状になした分流体構成片７Ａを、四枚一組として組み合わせて平面視角形状の分流体７を形成し、該分流体７を、その開口側を下にして、前記ケーシング２と前記フード５との間に、その内側の端７′がケーシング２の内側面２ａより内側に位置し、その外側の端７″がケーシング２の外側面２ｂより外側に位置するように配設してなるものである。尚、８は前記分流体構成片７Ａの支持部材である。
【００２８】
次に、上記実施形態の作用について説明する。
本実施形態に係る排気用の屋上換気扇１は、半円筒状で、長さ方向の両端部を夫々４５度の角度に切断して平面視台形状になした分流体構成片７Ａを、四枚一組として組み合わせて平面視角形状の分流体７を形成し、該分流体７を、その開口側を下にして、ケーシング２とフード５との間に、その内側の端７′がケーシング２の内側面２ａより内側に位置し、その外側の端７″がケーシング２の外側面２ｂより外側に位置するように配設してなるものであるから、ファン３の外周付近により発生し、ケーシング２の内側面２ａに沿ってフード５に向って流れる気流の中で比較的風速の速い気流は、分流体７で受けられ、該分流体７の内面に沿ってスムーズに吐出口６へ方向転換され、一方、ファン３の内周付近で発生した気流の中で比較的風速の遅い気流は、分流体７に接触せずにフード５に到達し、フード５に到達した速度の遅い気流はフード５の内面に沿いながら、分流体７と該フード５との間を通って吐出口６に流れる。このとき、風速が遅いため比較的小さな圧力損失で方向転換することができ、よってファン３で発生する気流の吐出口６までの導き方を気流の速さに応じて流す方向を変えることとなるので、気流がフード５に当たっても圧力損失を低減することができるものである。そして、本実施形態においては、ケーシング２が角筒状で、フード５がこれに対応して平面視角形状をなす排気用の屋上換気扇１において、図４に示す如く、フード５内の四隅の部分（円で囲んだ部分）においても充分な分流効果を得ることができるものである。
【００２９】
また、図示はしないが、上記実施形態と同一の構成で空気の流れのみを逆とした給気用の屋上換気扇の場合には、前記図８に示したものと同様に、吸入口から吸い込まれた空気を全体的にスムーズにケーシング内に引き込むことができ、もってモータの負荷を大幅に軽減することができるものである。
【符号の説明】
【００３０】
１  排気用の屋上換気扇
２  ケーシング
３  ファン
４  モータ
５  フード
６  吐出口
７  分流体
７Ａ  分流体構成片
８  分流体構成片の支持部材
【図１】
0003216617.tif 000003
【図２】
0003216617.tif 000004
【図３】
0003216617.tif 000005
【図４】
0003216617.tif 000006
【図５】
0003216617.tif 000007
【図６】
0003216617.tif 000008
【図７】
0003216617.tif 000009
【図８】
0003216617.tif 000010